(57)【要約】【課題】プレ転写”による“トナー跳ね”を抑制することで“転写飛び散り”が無く、ドラム／中間転写体間の摩擦力変動に起因するバンディングの発生を回避し、且つ、記録媒体の風合いを変化させることの無い画像形成装置を提供すること。【解決手段】複数の像担持体と、中間転写体と、有色トナー像転写手段と、透明トナー転写手段と、中間転写体上に形成されたトナー像を記録媒体に２次転写させる２次転写手段と、記録媒体に転写されたトナー像を永久画像として加熱定着する定着手段とを有する画像形成装置において、記録媒体上に形成されたトナー像のうち透明トナーが転写され且つ有色トナーが転写されていない部分の７５°光沢度と、記録媒体上の有色トナー及び透明トナー何れも転写されていない部分の７５°光沢度若しくはトナー像転写前の記録媒体の７５°光沢度との差が５％以下となるように設定したことを特徴とする。【選択図】図１
2006349816.tif 000002
【特許請求の範囲】
【請求項１】
トナー像を担持する１つ若しくは複数の像担持体と、前記像担持体に形成された有色トナー像が転写される中間転写体と、前記中間転写体上に前記１つ若しくは複数の像担持体上に形成された有色トナー像を転写する１つ若しくは複数の有色トナー像転写手段と、前記像担持体と有色トナー像転写手段とで形成される転写部よりも上流側において透明トナーを前記中間転写体に転写させる透明トナー転写手段と、前記透明トナー転写手段と有色トナー像転写手段の作用によって中間転写体上に形成されたトナー像を記録媒体に２次転写させる２次転写手段と、記録媒体に転写された前記トナー像を永久画像として加熱定着する定着手段とを有する画像形成装置において、
記録媒体上に形成されたトナー像のうち透明トナーが転写され且つ有色トナーが転写されていない部分の７５°光沢度と、記録媒体上の有色トナー及び透明トナー何れも転写されていない部分の７５°光沢度若しくはトナー像転写前の記録媒体の７５°光沢度との差が５％以下となるように設定したことを特徴とする画像形成装置。
【請求項２】
トナー像を担持する像担持体と、前記像担持体に形成された有色トナー像を記録媒体に転写する有色トナー像転写手段と、前記像担持体と有色トナー像転写手段とで形成される転写部よりも上流側において透明トナーを前期記録媒体に転写させる透明トナー転写手段と、前記透明トナー転写手段と有色トナー像転写手段の作用によって記録媒体に転写されたトナー像を永久画像として加熱定着する定着手段とを有する画像形成装置において、
記録媒体上に形成されたトナー像のうち透明トナーが転写され且つ有色トナーが転写されていない部分の７５°光沢度と、記録媒体上の有色トナー及び透明トナー何れも転写されていない部分の７５°光沢度若しくはトナー像転写前の記録媒体の７５°光沢度との差が５％以下となるように設定したことを特徴とする画像形成装置。
【請求項３】
前記中間転写体若しくは記録媒体上に形成される透明トナーの載り量が０．０５ｍｇ／ｃｍ2 以上０．３０ｍｇ／ｃｍ2 以下であることを特徴とする請求項１又は２記載の画像形成装置。
【請求項４】
前記透明トナーは、少なくとも画像形成領域全面に転写されることを特徴とする請求項１〜３の何れかに記載の画像形成装置。
【請求項５】
前記像担持体の回転に対する前記中間転写体の回転速度若しくは記録媒体の移動速度の差が１％以上であることを特徴とする請求項１〜４の何れかに記載の画像形成装置。
【請求項６】
トナー像を担持する１つ若しくは複数の像担持体と、前記像担持体に形成された有色トナー像を直接若しくは中間転写体を介して記録媒体に転写する１つ若しくは複数の有色トナー像転写手段と、前記像担持体と有色トナー像転写手段とで形成される転写部よりも上流側において透明トナーを記録媒体若しくは中間転写体に転写させる透明トナー転写手段と、記録媒体に転写された前記トナー像を永久画像として加熱定着する定着手段とを有する画像形成装置において、
前記透明トナーを中間転写体若しくは記録媒体上に転写される有色トナー像部及びその周縁部を含む部分に転写することを特徴とする画像形成装置。
【請求項７】
トナー像を担持する１つ若しくは複数の像担持体と、前記像担持体に形成された有色トナー像を直接若しくは中間転写体を介して記録媒体に転写する１つ若しくは複数の有色トナー像転写手段と、前記像担持体と有色トナー像転写手段とで形成される転写部よりも上流側において透明トナーを記録媒体若しくは中間転写体に転写させる透明トナー転写手段と、記録媒体に転写された前記トナー像を永久画像として加熱定着する定着手段とを有する画像形成装置において、
前記透明トナーを中間転写体若しくは記録媒体上に転写される有色トナー像の周縁部に転写することを特徴とする画像形成装置。
【発明の詳細な説明】
【技術分野】
【０００１】
本発明は、像担持体上に形成されたトナー像を直接又は中間転写体を介して記録媒体に転写して画像形成を行う画像形成装置に係り、特に有色トナーと透明トナーを用いる画像形成装置に関するものである。
【背景技術】
【０００２】
従来、画像形成装置として、電子写真方式、熱転写方式、インクジェット方式等、様々な方式が採用されている。これらのうち、電子写真方式を用いた画像形成装置は高速・高画質・静粛性の点で優位性を有している。
【０００３】
又、近年、電子写真方式を用いたカラー画像形成装置も普及してきている。この電子写真方式を用いたカラー画像形成装置には、従来良く知られている多重転写方式や感光体表面にカラー像を重ねた後一括転写して像形成を行う多重現像方式、或は、複数の異なる色の画像形成手段（プロセスステーション）を有し、転写材に直接若しくは中間転写体を介して現像剤を転写するインライン方式等がある。
【０００４】
このような電子写真方式のカラー画像形成装置はビジネス文書の印刷をはじめとして同方式の普及とともにその用途が年々広がってきており、それに伴って同画像形成装置による出力物に対する画像品質の向上に対する要求も高まってきている。
【０００５】
要求の高い画像品質項目としては、例えば文字や細線の鮮鋭性、或はバンディングと呼ばれる筋状の画像不良の回避等が挙げられる。
【０００６】
これらの画像品質に対する要求に応えるべく、例えば以下のような技術が開示されている。
【特許文献１】特開平０５−３０３２８９号公報
【特許文献２】特開２００２−１８２４８４号公報
【特許文献３】特開平１１−０５２７５８号公報
【発明の開示】
【発明が解決しようとする課題】
【０００７】
ここで、鮮鋭性に大きな影響を及ぼす“転写飛び散り”という現象について、従来の画像形成装置の１次転写プロセスを例として以下に説明する。
【０００８】
図８は、図７に示す従来の画像形成装置における１次転写部Ｔ１の拡大模式断面図である。図８に示す１次転写部において、Ｗ１は像担持体１と中間転写体としての中間転写ベルト２４で形成される接触ニップの幅、Ｗ２は中間転写ベルト２４と１次転写ローラ４で形成される接触ニップの幅を示す。
【０００９】
Ｗ３は、接触ニップＷ２が、接触ニップＷ１に対して相対的に中間転写ベルト２４の移動方向上流側にはみ出している領域（以下、「上流側空隙ニップ」）の幅を示す。通常、像担持体１上に形成されたトナー像は、接触ニップＷ２において、中間転写ベルト２４に転写するとされている。
【００１０】
しかし、より詳細に検討によれば上流側空隙ニップＷ３部にも電界が作用しているため、オーバーラップニップＷよりも中間転写ベルト２４の移動方向上流側で像担持体１上に形成されたトナー像が中間転写ベルト２４上に飛翔してしまう現象、いわゆる“プレ転写”が発生する。“プレ転写”により飛翔したトナーが、中間転写ベルト２４に衝突した後に跳ね返ること（以下、「トナー跳ね」）で、細線や文字や小さいドットで構成される画像パターンを印字した際に鮮鋭性を低下させる“転写飛び散り”を発生させている。
【００１１】
“トナー跳ね”が無い場合に“転写転写飛び散り”が良化することを確認するために、中間転写体ベルト２４に粘着性を有するシリコンゴム層を形成した画像形成装置による出力画像の品質を確認したところ、“プレ転写”により像担持体１上から飛翔してきたトナーが、シリコンゴム層の粘着性により“トナー跳ね”を発生させなかった場合“転写飛び散り”による画像劣化がほぼないことを確認した。
【００１２】
しかしながら、粘着性を有するシリコンゴム層を形成した中間転写ベルト２４の使用は、２次転写時に記録媒体に転写し切れなかった転写残トナーのクリーニング性が低下し、長期の使用に耐えられないといった問題が生じる。
【００１３】
一方、前記特許文献１（特開平０５−３０３２８９号公報）においては、転写ニップ部上流側に転写ベルトを感光ドラムに押し付けることによって、転写部における“プレ転写”を抑え鮮鋭性を改善している。
【００１４】
しかしながら、上記の提案は１ドラム方式の画像形成装置を想定したものでり、同手法を感光ドラム径が小径化されたインライン方式の画像形成装置に適用して充分な効果を得るためには、感光ドラムに対する転写ベルトの巻き付け角度を大きくし、更にこれを各転写ステーション（通常４色）に対して行う必要がある。実際にこのような手法を採用した提案が特許文献２（特開２００２−１８２４８４号公報）にてなされているが、同手法の採用により転写ベルトが受けるストレス（屈曲量及び屈曲回数）は大きく増大し、転写ベルトの寿命を低下させる大きな要因となってしまう。
【００１５】
画像品質として注目される他の要素のうちの１つであるバンディングについては発生原因は多々あるが、中間転写体を用いた画像形成装置におけるドラム／中間転写体間の摩擦力変動もバンディングを発生させる要因の１つである。ドラム／中間転写体間の摩擦力変動について、図４（ａ）に示す従来の画像形成装置における１次転写部の拡大断面図を用いて説明する。
【００１６】
図４（ａ）における従来の画像形成装置では中間転写体としての中間転写ベルト２４表面の移動速度は、像担持体としての感光ドラム１表面の移動速度よりも２％程度速くなるよう設定されることでトナー像の転写効率向上が図られている。ここで、感光ドラム１は不図示のモータＭｄによって、中間転写ベルト２４は不図示のモータＭｂによって、それぞれ駆動されている。
【００１７】
このような画像形成装置において画像形成を行う際、画像先端部Ｌが感光ドラム１と中間転写ベルト２４で形成されるニップに突入すると、感光ドラム／中間転写ベルト間の摩擦力がトナーの介在によって急激に変化するため、図４（ａ）に示されるように、感光ドラム１に急激な回転変動がもたらされる。レーザー光１２によって感光ドラム１上に潜像書き込むを描画部ではこれに起因した潜像ムラが発生し、後続する現像手段によってスジ状の画像ムラ（バンディング）となって現像される。
【００１８】
前記特許文献３（特開平１１−０５２７５８号公報）においては、予め中間転写ベルト２４上のトナードット像を介在させておくことにより、ドラム／中間転写ベルト間の摩擦力変動を抑え、バンディングの発生を回避している。
【００１９】
しかしながら、上記の手法によれば、白画像部にも有色トナーが介在しており、記録媒体上にもそれら有色トナーが転写されることとなる。たとえ視認性の低いイエロートナーを摩擦力変動低下のために用いたとしても、十分な効果を得るためのトナーを介在させれば白画像部が黄色味がかってしまうことは避けられなかった。
【００２０】
本発明は、以上の問題に鑑みてなされたもので、“プレ転写”による“トナー跳ね”を抑制することで“転写飛び散り”が無く、ドラム／中間転写体間の摩擦力変動に起因するバンディングの発生を回避し、且つ、記録媒体の風合いを変化させることの無い画像形成装置を提供することを目的としている。
【課題を解決するための手段】
【００２１】
上記目的を達成するため、請求項１記載の発明は、トナー像を担持する１つ若しくは複数の像担持体と、前記像担持体に形成された有色トナー像が転写される中間転写体と、前記中間転写体上に前記１つ若しくは複数の像担持体上に形成された有色トナー像を転写する１つ若しくは複数の有色トナー像転写手段と、前記像担持体と有色トナー像転写手段とで形成される転写部よりも上流側において透明トナーを前記中間転写体に転写させる透明トナー転写手段と、前記透明トナー転写手段と有色トナー像転写手段の作用によって中間転写体上に形成されたトナー像を記録媒体に２次転写させる２次転写手段と、記録媒体に転写された前記トナー像を永久画像として加熱定着する定着手段とを有する画像形成装置において、
記録媒体上に形成されたトナー像のうち透明トナーが転写され且つ有色トナーが転写されていない部分の７５°光沢度と、記録媒体上の有色トナー及び透明トナー何れも転写されていない部分の７５°光沢度若しくはトナー像転写前の記録媒体の７５°光沢度との差が５％以下となるように設定したことを特徴とする。
【００２２】
又、本発明は、トナー像を担持する像担持体と、前記像担持体に形成された有色トナー像を記録媒体に転写する有色トナー像転写手段と、前記像担持体と有色トナー像転写手段とで形成される転写部よりも上流側において透明トナーを前期記録媒体に転写させる透明トナー転写手段と、前記透明トナー転写手段と有色トナー像転写手段の作用によって記録媒体に転写されたトナー像を永久画像として加熱定着する定着手段とを有する画像形成装置において、
記録媒体上に形成されたトナー像のうち透明トナーが転写され且つ有色トナーが転写されていない部分の７５°光沢度と、記録媒体上の有色トナー及び透明トナー何れも転写されていない部分の７５°光沢度若しくはトナー像転写前の記録媒体の７５°光沢度との差が５％以下となるように設定したことを特徴とする。
【００２３】
更に、本発明は、トナー像を担持する１つ若しくは複数の像担持体と、前記像担持体に形成された有色トナー像を直接若しくは中間転写体を介して記録媒体に転写する１つ若しくは複数の有色トナー像転写手段と、前記像担持体と有色トナー像転写手段とで形成される転写部よりも上流側において透明トナーを記録媒体若しくは中間転写体に転写させる透明トナー転写手段と、記録媒体に転写された前記トナー像を永久画像として加熱定着する定着手段とを有する画像形成装置において、
前記透明トナーを中間転写体若しくは記録媒体上に転写される有色トナー像部及びその周縁部を含む部分に転写することを特徴とする。
【００２４】
又、本発明は、トナー像を担持する１つ若しくは複数の像担持体と、前記像担持体に形成された有色トナー像を直接若しくは中間転写体を介して記録媒体に転写する１つ若しくは複数の有色トナー像転写手段と、前記像担持体と有色トナー像転写手段とで形成される転写部よりも上流側において透明トナーを記録媒体若しくは中間転写体に転写させる透明トナー転写手段と、記録媒体に転写された前記トナー像を永久画像として加熱定着する定着手段とを有する画像形成装置において、
前記透明トナーを中間転写体若しくは記録媒体上に転写される有色トナー像の周縁部に転写することを特徴とする。
【発明の効果】
【００２５】
中間転写体上若しくは記録媒体上に、物理的衝突による衝撃を緩和する層（以下、「衝撃緩和層」）を形成することで、“プレ転写”におけるトナーと中間転写体との物理的衝突により発生する“トナー跳ね”が抑制される。
【００２６】
或は、中間転写体上若しくは記録媒体上に、ドラム／中間転写体間の摩擦力変動を抑制する層（以下、「摩擦力変動抑制層」）を形成することで同摩擦力変動に起因するバンディングの発生が抑制される。
【００２７】
衝撃緩和層若しくは摩擦力変動抑制層として透明トナーを使用しているので、白画像部の色味が変動せず、又、透明トナーの載り量を０．０５ｍｇ／ｃｍ2 以上０．３０ｍｇ／ｃｍ2 以下とすることなどにより、出力された記録媒体の非画像形成領域と白画像部との７５°グロス差若しくはトナー像が転写される前の記録媒体と出力された記録媒体の白画像部との７５°グロス差を５％以内に抑える、或は透明トナーの転写を有色トナー部及びその周縁部に限定する等するので、記録媒体の風合いを変化させることなく鮮鋭性の良好な、或はドラム／中間転写体間の摩擦力変動に起因するバンディングの無い画像形成装置を提供することが可能となる。
【発明を実施するための最良の形態】
【００２８】
以下に本発明の実施の形態を添付図面に基づいて説明する。
【００２９】
＜実施の形態１＞
図１は本発明の実施の形態１に用いたカラー画像形成装置の断面図である。この装置は、電子写真方式のカラー画像形成装置の一例である中間転写体としての中間転写ベルト２４を採用したタンデム方式のカラー画像形成装置である。画像形成に関わる主な手段は、帯電手段２、露光手段１１、現像手段８、転写手段４、定着手段２１である。
【００３０】
本実施の形態に係る画像形成装置では、イエロー（Ｙ）、マゼンダ（Ｍ）、シアン（Ｃ）、ブラック（Ｋ）のステーション毎に、感光体１を帯電させるための帯電手段としてローラ２を備えている。
【００３１】
感光体１Ｙ，１Ｍ，１Ｃ，１Ｋは、アルミシリンダの外周に有機光導伝層を塗布して構成し、図示しない駆動モータの駆動力が伝達されて回転するもので、駆動モータは感光体１Ｙ，１Ｍ，１Ｃ，１Ｋを画像形成動作に応じて反時計周り方向に回転させる。
【００３２】
露光手段１１は、感光体１Ｙ，１Ｍ，１Ｃ，１Ｋへレーザー光を照射し、感光体１Ｙ，１Ｍ，１Ｃ，１Ｋの表面を選択的に露光することにより、静電潜像を形成するように構成している。
【００３３】
現像手段８は、前記静電潜像を可視化するために、ステーション毎にイエロー（Ｙ）、マゼンダ（Ｍ）、シアン（Ｃ）、ブラック（Ｋ）の現像を行う現像器８Ｙ，８Ｍ，８Ｃ，８Ｋを備える構成で、各現像器には、スリーブ５Ｙ，５Ｍ，５Ｃ，５Ｋが設けられている。
【００３４】
転写手段４は、感光体１から中間転写ベルト２４へ単色トナー像を転写するために、中間転写ベルト２４を反時計周り方向に回転させ、感光体１Ｙ，１Ｍ，１Ｃ，１Ｋとその対向に位置する一次転写ローラ４Ｙ，４Ｍ，４Ｃ，４Ｋの回転に伴って、単色トナー像を転写する。
【００３５】
一次転写ローラ４には、転写バイアス電源３２ＣＬ，３２Ｙ，３２Ｍ，３２Ｃ，３２Ｂｋより適当なバイアス電圧を印加すると共に感光体１の回転速度と中間転写ベルト２４の回転速度に差を付けることにより、効率良く単色トナー像を中間転写ベルト２４上に転写する。これを一次転写と言う。
【００３６】
本実施の形態において、回転速度差はドラム表面の移動速度を１００％とした際に中間転写ベルト２４表面の移動速度が１０２％となるように設定した。中間転写ベルト２４上に、ほぼ一様な透明トナー層を形成する透明トナー供給装置５０は、前述の現像手段８を中間転写ベルト２４に取り付けたような構成であり、中間転写ベルト２４上にトナーが１次転写される以前に、転写手段４ＣＬにより中間転写ベルト２４上に透明トナーを供給する。透明トナーの供給領域は任意に設定することが可能であるが、本実施の形態においては、記録媒体サイズよりもひとまわり大きな領域に供給することで、記録材の余白領域も含めた記録面全域に均一に転写させることとした。
【００３７】
上記の手順にて透明トナー及びステーション毎の単色トナー像が重ね合わされて中間転写ベルト２４上の形成された多色トナー像は、中間転写ベルト２４の回転に伴い二次転写ローラ２５まで搬送され、給紙トレイ１５から二次転写ローラ２５へ狭持搬送された記録媒体Ｐと中間転写ベルト２４上の多色トナー像とが重ね合わされる。二次転写ローラ２５に適当なバイアス電圧を印加しすることで、多色トナー転写ベルト像は静電的に転写される。これを二次転写と言う。
【００３８】
定着手段２１は、記録媒体Ｐに転写された多色トナー像を記録媒体Ｐに溶融定着させるために、記録媒体Ｐを加熱する定着ローラ２１ａと記録媒体Ｐを定着ローラ２１ａに圧接させるための加圧ローラ２１ｂを備えている。定着ローラ２１ａと加圧ローラ２１ｂは、中空状に形成され、内部にそれぞれヒータが内蔵されている。定着装置２１は、多色トナー像を保持した記録媒体Ｐを定着ローラ２１ａと加圧ローラ２１ｂにより搬送するとともに、熱及び圧力を加え、トナーを記録媒体Ｐに定着させる。尚、本発明にて使用される透明トナーとは、記録媒体Ｐに転写された後に上記定着装置２１にて定着された時点で、実質的に無色透明となるトナーのことを指す。
【００３９】
トナー定着後の記録媒体Ｐは、その後、図示しない排出ローラによって図示しない排紙トレイに排出して画像形成動作を終了する。
【００４０】
中間転写ベルト２４上に付着させた透明トナーが“トナー跳ね”を抑制させるメカニズムを図３にて説明する。
【００４１】
図３は、図１に示した画像形成装置の１次転写部における上流側空隙ニップＷ３部の拡大図である。
【００４２】
中間転写ベルト２４上のトナー６０ａは、像担持体１上のトナー６０が“トナー跳ね”を発生させずに中間転写ベルト２４上に転写された場合のトナーを示す。“プレ転写”により像担持体１上から飛翔してきたトナー６０ａは、中間転写ベルト２４上に付着した透明トナー６１（図３において、ハッチングされている粒子）と衝突する。衝突したトナー６０ａは、透明トナー６１との物理的衝突により速度を緩和され、跳ね返らないで中間転写ベルト２４上に転写される。一方“トナー跳ね”が発生する場合、トナー６０は、中間転写ベルト２４と物理的に衝突し跳ね返りトナー６０ａとは位置が異なるトナー６０ｂとなる。
【００４３】
発明者らの検討によれば、“トナー跳ね”を抑制するために必要な透明トナー量は、中間転写ベルト２４上にまばらにコートされる程度で十分であり、具体的には載り量として０．０５ｍｇ／ｃｍ2 以上であれば十分な効果を確認することができる。
【００４４】
一方、ドラム／中間転写ベルト２４間の摩擦力変動に起因して発生するバンディングの抑制に対しては、トナー画像がドラム／中間転写ベルト２４間のニップ部で転写されている際の摩擦力と同程度の摩擦力が得られる程度の量の透明トナー６１を非トナー画像部に介在させれば良く、その際の載り量として同じく０．０５ｍｇ／ｃｍ2 以上であれば図４（ｂ）に示す通りドラムの回転速度変動を抑制することができ、画像品質としても十分な効果を確認することができた。
【００４５】
しかしながら透明トナー６１を過剰に載せると、当該透明トナー６１が記録媒体上に転写され定着された後に不必要なグロス上昇をもたらしてしまう。このようなグロス上昇は例えば写真調の出力を希望する際には歓迎される場合もあるが、ビジネス文書等においては可読性を損なうばかりでなく、記録媒体の本来の風合いを失った不自然な画像となってしまい、電子写真が用いられる殆どの用途に対してはむしろ歓迎されないものとなる。
【００４６】
発明者らの検討によれば、白画像部において透明トナー６１が載っている部分と載っていない部分の光沢度を７５°の測定角で測定しながら画像を観察したところ、光沢度の差が凡そ５％以上になるとその境界部が顕在化し不自然な画像として認識されたり記録媒体の風合いが異なると認識されてしまう結果となった。ここで、光沢度の測定には、日本電色社製の光沢度計ＰＧ−３Ｄを用いた。一般的なトナー母体を構成する材料で透明トナー６１を作成した場合には、０．３０ｍｇ／ｃｍ2 以上の載り量になると光沢度差が５％以上となってしまう。
【００４７】
そこで、本実施の形態においては透明トナー６１の載り量を０．１０ｍｇ／ｃｍ2 とした。
【００４８】
以上のような条件にて電子写真用のノンコート紙（光沢度＝２３％）上に細線・文字・小さいドットで構成される画像パターン・ハーフトーン画像を出力した。得られた画像の白画像部の光沢度は２４％であり、ノンコート紙の風合いを損なわないものであった。
【００４９】
このようにして得られた画像と、透明トナー６１を中間転写させずに得られた画像とを比較すると、細線・文字・小さいドットの再現性が向上して鮮鋭性の改善効果が確認できると共に、ハーフトーンパターンにおけるバンディングの発生も改善されていた。
【００５０】
本実施の形態では、中間転写体方式の画像形成装置を用いたが、例えば後に以下に示す実施の形態２にて説明されるような静電吸着搬送ベルト方式の画像形成装置に適用しても本実施の形態と同様の効果を得ることが可能である。
【００５１】
＜実施の形態２＞
図２は実施の形態１に用いたカラー画像形成装置の断面図である。この装置は、図示のように、電子写真方式のカラー画像形成装置の一例である静電吸着搬送ベルト方式を採用しており、静電搬送ベルト（以下、単に「搬送ベルト」と呼ぶ）１４が、駆動２２ローラ、吸着対向ローラ２５、テンションローラ１３ａ，１３ｂの各ローラに巻架されている。
【００５２】
搬送ベルトの周面に沿って、透明、イエロー・マゼンタ・シアン・ブラックの各色の画像形成部であるプロセスステーション３１ＣＬ，３１Ｙ，３１Ｍ，３１Ｃｙ，３１Ｂｋが配置されており、実施の形態１にて説明したのと同様の作用によって感光体上にトナー画像が形成される。
【００５３】
各プロセスステーション内の感光ドラム１は、搬送ベルト１４を介して転写帯電手段である転写ローラ４ＣＬ，４Ｙ，４Ｍ，４Ｃｙ，４Ｂｋと当接しており、転写ローラ４ＣＬ，４Ｙ，４Ｍ，４Ｃｙ，４Ｂｋには、転写バイアス電源３２ＣＬ，３２Ｙ，３２Ｍ，３２Ｃ，３２Ｂｋより転写バイアスが印加される。
【００５４】
転写材は、給紙カセット１５等からガイドローラ１７，１８によって画像形成装置内に送り出されると、先ず、画像形成動作と転写材の搬送との同期を取るための給送手段、例えば、ローラ状とされる同期回転体、即ち、レジストローラ１９ａ及びレジスト対向ローラ１９ｂに一旦挟持された後、転写材と搬送ベルト１４との吸着が行われる吸着部に導かれる。
【００５５】
吸着部では、例えば吸着部材としての吸着ローラ２６が搬送ベルト１４を介して吸着対向ローラ２５と対向し、搬送ベルト１４及び記録媒体Ｐを挟持するよう構成されている。吸着ローラ２６には高電圧源である吸着バイアス電源３２Ａより電圧が印加されることによって、転写材に電荷が付与され、電荷を付与された転写材は搬送ベルト１４を分極することによって搬送ベルト１４に静電吸着される。
【００５６】
このようにして搬送ベルト１４に吸着した記録媒体Ｐは、各プロセスステーションを順次通過し、前述工程で感光ドラム１ＣＬ〜１Ｂｋ上に現像された各色トナー画像が次々に転写された後、定着装置２１へと搬送され、加熱定着されて永久画像となる。
【００５７】
以上のような条件にて電子写真用のノンコート紙（光沢度＝２３％）上に細線・文字・小さいドットで構成される画像パターン・ハーフトーン画像を出力した。この際に透明トナー像は図５に示すように有色トナー像よりも周縁部を２ｍｍ程度拡幅したサイズで、０．３０ｍｇ／ｃｍ2 の載り量で形成した。
【００５８】
得られた画像は有色トナー部及びその周縁部以外には透明トナー６１が転写されていないので、白画像部のグロスは元のノンコート紙と同じ２２％であり、ノンコート紙の風合いを損なわないものであった。
【００５９】
このようにして得られた画像と、透明トナー６１を転写させずに得られた画像とを比較すると、細線・文字・小さいドットのエッジ部においてトナー跳ねが抑制され、再現性が向上して鮮鋭性の改善効果が確認できた。
【００６０】
又、本実施の形態では、有色トナー部及びその周縁部に透明トナー６１を転写させて有色トナーの跳ねを防止して鮮鋭性を改善させたので、実施の形態１に記載したような記録媒体Ｐの全面に透明トナーを塗布する場合に比べて、トナー消費量を抑制することができる。
【００６１】
本実施の形態では、有色トナー部及びその周縁部に透明トナー６１を転写させて有色トナーの跳ねを防止して鮮鋭性を改善させたが、図６に示すように、有色トナーの周縁部付近のみに透明トナー像を形成させても、本実施の形態と同様の効果を得ることができる。又、実施の形態１に示した中間転写体方式の画像形成装置に適用しても同様の効果を得ることが可能である。
【図面の簡単な説明】
【００６２】
【図１】本発明を説明するための中間転写体方式のカラー画像形成装置の断面図である。
【図２】本発明を説明するための静電搬送ベルト方式のカラー画像形成装置の断面図である。
【図３】トナー跳ねの説明図（１次転写部の拡大図）である。
【図４】感光ドラム／中間転写ベルト間の摩擦力変動の説明図である。
【図５】本発明の実施の形態２の画像を示す図である。
【図６】本発明の実施の形態２の他の実施画像を示す図である。
【図７】従来の中間転写体方式のカラー画像形成装置の断面図である。
【図８】図７に示す従来の画像形成装置における１次転写部の拡大模式断面図である。
【符号の説明】
【００６３】
１    像担持体
２    帯電ローラ
４    一次転写ローラ
５    現像ローラ
８    現像器
１１    露光手段
１２    レーザー光
１４    静電搬送ベルト
１５    給紙トレイ
２１    定着装置
２４    中間転写体
２５    二次転写ローラ
３１    トナーカードリッジ
【図１】
2006349816.tif 000003
【図２】
2006349816.tif 000004
【図３】
2006349816.tif 000005
【図４】
2006349816.tif 000006
【図５】
2006349816.tif 000007
【図６】
2006349816.tif 000008
【図７】
2006349816.tif 000009
【図８】
2006349816.tif 000010